(57)【要約】【課題】  動画像データの再生や編集をより容易に行えるようにする。【解決手段】  シーンインデックス作成部６１は、記録媒体４４への記録が開始された場合に、シーンインデックスを作成し、詳細インデックス作成部６２は、記録媒体４４への記録中において、所定の時間ごとに、詳細インデックスを作成し、ユーザインデックス作成部６３は、ユーザによりユーザインデックスの作成の指令がユーザによりなされた場合、ユーザインデックスを作成する。CPU２２は、インデックス作成部２６により作成されたシーンインデックス、詳細インデックス、およびユーザインデックスを、バス２１を介してメモリカード２９に記憶させる。本発明は、テープメディアにデータを記録したり、テープメディアに記録されているデータを再生する記録再生装置に適用することができる。【選択図】図１
2007006166.tif 000002
【特許請求の範囲】
【請求項１】
複数の画像からなる動画像のデータである動画像データを記録する記録再生装置において、
ユーザからの指令を受け付ける受付手段と、
前記動画像データの入力を受け付ける動画像データ受付手段と、
前記受付手段により前記動画像データの記録媒体への記録の指令が受け付けられた場合、前記動画像データ受付手段により受け付けられた前記動画像データを前記記録媒体に記録する記録手段と、
前記記録手段により前記記録媒体への記録が開始された時に、前記動画像データが記録される前記記録媒体の空間上の位置を示す位置データと、記録する前記動画像データ全体のうちの任意の画像のデータに対応する第１のインデックス画像データと、記録が開始された時点における日時を示す日時データとを少なくとも含むシーンインデックスを作成するシーンインデックス作成手段と、
前記記録手段による前記記録媒体への記録中において、所定の時間ごとに、その時刻に前記動画像データが記録されている前記記録媒体の空間上の位置を示す位置データと、前記動画像データのうちのその時刻における画像のデータに対応する第２のインデックス画像データと、その時刻を示す日時データとを少なくとも含む詳細インデックスを作成する詳細インデックス作成手段と、
前記受付手段によりユーザインデックスの作成の指令が受け付けられた場合、指令が受け付けられた時刻に前記動画像データが記録されている前記記録媒体の空間上の位置を示す位置データと、前記動画像データのうちのその時刻における画像のデータに対応する第３のインデックス画像データと、その時刻を示す日時データとを少なくとも含むユーザインデックスを作成するユーザインデックス作成手段と、
前記シーンインデックス作成手段により作成された前記シーンインデックス、前記詳細インデックス作成手段により作成された前記詳細インデックス、および前記ユーザインデックス作成手段により作成された前記ユーザインデックスを記憶する記憶手段と
を備えることを特徴とする記録再生装置。
【請求項２】
前記受付手段により前記シーンインデックスの再生の指令が受け付けられた場合、前記記憶手段に記憶されている前記シーンインデックスの前記第１のインデックス画像データに基づくシーンインデックス画像を表示部に表示させるよう表示を制御する表示制御手段をさらに備える
ことを特徴とする請求項１に記載の記録再生装置。
【請求項３】
前記表示制御手段により前記表示部に表示された前記シーンインデックス画像の再生の指令が受付手段によりさらに受け付けられた場合、前記記録媒体に記録されている前記動画像データを、再生が指令された前記シーンインデックスに含まれる前記位置データに対応する位置から再生する再生手段をさらに備える
ことを特徴とする請求項２に記載の記録再生装置。
【請求項４】
前記表示制御手段は、前記表示部に表示された前記シーンインデックス画像の選択の指令が前記受付手段によりさらに受け付けられた場合、選択が指令された前記シーンインデックスより後に前記記憶手段に記憶された所定の数の前記詳細インデックスのそれぞれの前記第２のインデックス画像データに基づく詳細インデックス画像を前記表示部に表示させるよう表示をさらに制御する
ことを特徴とする請求項２に記載の記録再生装置。
【請求項５】
前記受付手段により前記シーンインデックス画像の再生の指令が受け付けられた場合、前記記憶手段に記憶されている前記シーンインデックスの前記第１のインデックス画像データに基づくシーンインデックス画像と、前記記憶手段に記憶されている前記ユーザインデックスの前記第３のインデックス画像データに基づくユーザインデックス画像とを表示部に表示させるよう表示を制御する表示制御手段をさらに備える
ことを特徴とする請求項１に記載の記録再生装置。
【請求項６】
記録媒体に記録されている前記動画像データを再生する再生手段をさらに備え、
前記再生手段は、
前記表示制御手段により前記表示部に表示された前記シーンインデックス画像の再生の指令が受付手段によりさらに受け付けられた場合、再生が指令された前記シーンインデックス画像が対応する前記シーンインデックスに含まれる前記位置データに対応する位置から、前記記録媒体に記録されている前記動画像データを再生し、
前記表示制御手段により前記表示部に表示された前記ユーザインデックス画像の再生の指令が受付手段によりさらに受け付けられた場合、再生が指令された前記ユーザインデックス画像が対応する前記ユーザインデックスに含まれる前記位置データに対応する位置から、前記記録媒体に記録されている前記動画像データを再生する
ことを特徴とする請求項５に記載の記録再生装置。
【請求項７】
記録媒体に記録されている前記動画像データを再生する再生手段をさらに備え、
前記ユーザインデックス作成手段は、前記再生手段により前記動画像データが再生されている場合に、前記受付手段により前記動画像データの再生を停止する指令が受け付けられた場合、その指令が受け付けられた時刻に前記動画像データが再生されている前記記録媒体の空間上の位置を示す位置データと、前記動画像データのうちのその時刻における画像のデータに対応する第３のインデックス画像データと、その時刻を示す日時データとを少なくとも含むユーザインデックスをさらに作成する
ことを特徴とする請求項１に記載の記録再生装置。
【請求項８】
複数の画像からなる動画像のデータである動画像データを記録する記録再生装置の記録再生方法において、
前記動画像データの入力を受け付ける動画像データ受付ステップと、
前記動画像データの記録媒体への記録の指令が受け付けられた場合、前記動画像データ受付ステップの処理により受け付けられた前記動画像データを前記記録媒体に記録するよう制御する記録制御ステップと、
前記記録制御ステップにより前記記録媒体への記録の制御が開始された時に、前記動画像データが記録される前記記録媒体の空間上の位置を示す位置データと、記録する前記動画像データ全体のうちの任意の画像のデータに対応する第１のインデックス画像データと、記録が開始された時点における日時を示す日時データとを少なくとも含むシーンインデックスを作成するシーンインデックス作成ステップと、
前記記録制御ステップによる前記記録媒体への記録中において、所定の時間ごとに、その時刻に前記動画像データが記録されている前記記録媒体の空間上の位置を示す位置データと、前記動画像データのうちのその時刻における画像のデータに対応する第２のインデックス画像データと、その時刻を示す日時データとを少なくとも含む詳細インデックスを作成する詳細インデックス作成ステップと、
ユーザインデックスの作成の指令が受け付けられた場合、指令が受け付けられた時刻に前記動画像データが記録されている前記記録媒体の空間上の位置を示す位置データと、前記動画像データのうちのその時刻における画像のデータに対応する第３のインデックス画像データと、その時刻を示す日時データとを少なくとも含むユーザインデックスを作成するユーザインデックス作成ステップと、
前記シーンインデックス作成ステップの処理により作成された前記シーンインデックス、前記詳細インデックス作成ステップの処理により作成された前記詳細インデックス、および前記ユーザインデックス作成ステップの処理により作成された前記ユーザインデックスを記憶部に記憶させるよう制御する記憶制御ステップと
を含むことを特徴とする記録再生方法。
【請求項９】
複数の画像からなる動画像のデータである動画像データを処理するプログラムであって、
前記動画像データの入力を受け付ける動画像データ受付ステップと、
前記動画像データの記録媒体への記録の指令が受け付けられた場合、前記動画像データ受付ステップの処理により受け付けられた前記動画像データを前記記録媒体に記録するよう制御する記録制御ステップと、
前記記録制御ステップにより前記記録媒体への記録の制御が開始された時に、前記動画像データが記録される前記記録媒体の空間上の位置を示す位置データと、記録する前記動画像データ全体のうちの任意の画像のデータに対応する第１のインデックス画像データと、記録が開始された時点における日時を示す日時データとを少なくとも含むシーンインデックスを作成するシーンインデックス作成ステップと、
前記記録制御ステップによる前記記録媒体への記録中において、所定の時間ごとに、その時刻に前記動画像データが記録されている前記記録媒体の空間上の位置を示す位置データと、前記動画像データのうちのその時刻における画像のデータに対応する第２のインデックス画像データと、その時刻を示す日時データとを少なくとも含む詳細インデックスを作成する詳細インデックス作成ステップと、
ユーザインデックスの作成の指令が受け付けられた場合、指令が受け付けられた時刻に前記動画像データが記録されている前記記録媒体の空間上の位置を示す位置データと、前記動画像データのうちのその時刻における画像のデータに対応する第３のインデックス画像データと、その時刻を示す日時データとを少なくとも含むユーザインデックスを作成するユーザインデックス作成ステップと、
前記シーンインデックス作成ステップの処理により作成された前記シーンインデックス、前記詳細インデックス作成ステップの処理により作成された前記詳細インデックス、および前記ユーザインデックス作成ステップの処理により作成された前記ユーザインデックスを記憶部に記憶させるよう制御する記憶制御ステップと
を含む処理をコンピュータに実行させることを特徴とするプログラム。
【発明の詳細な説明】
【技術分野】
【０００１】
本発明は、記録再生装置および記録再生方法、並びにプログラムに関し、特に、記録媒体に記録された動画像データの再生や編集をより容易に行うことができるようにした記録再生装置および記録再生方法、並びにプログラムに関する。
【背景技術】
【０００２】
従来、テープメディアに動画像データ（複数の画像により構成される動画像データ）と音声データからなるコンテンツ（シーン）を記録したり、テープメディアに記録されているコンテンツを再生する記録再生装置においては、コンテンツに含まれる動画像データのうちの、記録開始点における画像データに基づいてインデックスを生成することで、コンテンツの頭出しを行ったり、内容を把握させるようにしている。
【０００３】
また、例えば、特許文献１には、テープメディアに記録したコンテンツの映像データを間引きしてデータ量を削減したインデックス画データと、コンテンツの音声データのデータ量を削減した圧縮音声データとを、インデックス情報として用いてコンテンツの編集を行う記録装置が開示されている。
【特許文献１】特許第３５６０１７１号公報
【発明の開示】
【発明が解決しようとする課題】
【０００４】
しかしながら、記録開始点における画像データに基づいてインデックスを生成する方法では、コンテンツ１つにつき１つのインデックスしか生成されないので、コンテンツの内容を正確に把握するのが困難であるという課題があった。
【０００５】
また、特許文献１に開示されている方法では、インデックス情報の量が膨大となるために、ユーザが所望するシーンの検索に手間がかかるという課題があった。
【０００６】
本発明はこのような状況に鑑みてなされたものであり、記録媒体に記録された動画像データの再生や編集をより容易に行うことができるようにするものである。
【課題を解決するための手段】
【０００７】
本発明の記録再生装置は、ユーザからの指令を受け付ける受付手段と、動画像データの入力を受け付ける動画像データ受付手段と、受付手段により動画像データの記録媒体への記録の指令が受け付けられた場合、動画像データ受付手段により受け付けられた動画像データを記録媒体に記録する記録手段と、記録手段により記録媒体への記録が開始された時に、動画像データが記録される記録媒体の空間上の位置を示す位置データと、記録する動画像データ全体のうちの任意の画像のデータに対応する第１のインデックス画像データと、記録が開始された時点における日時を示す日時データとを少なくとも含むシーンインデックスを作成するシーンインデックス作成手段と、記録手段による記録媒体への記録中において、所定の時間ごとに、その時刻に動画像データが記録されている記録媒体の空間上の位置を示す位置データと、動画像データのうちのその時刻における画像のデータに対応する第２のインデックス画像データと、その時刻を示す日時データとを少なくとも含む詳細インデックスを作成する詳細インデックス作成手段と、受付手段によりユーザインデックスの作成の指令が受け付けられた場合、指令が受け付けられた時刻に動画像データが記録されている記録媒体の空間上の位置を示す位置データと、動画像データのうちのその時刻における画像のデータに対応する第３のインデックス画像データと、その時刻を示す日時データとを少なくとも含むユーザインデックスを作成するユーザインデックス作成手段と、
シーンインデックス作成手段により作成されたシーンインデックス、詳細インデックス作成手段により作成された詳細インデックス、およびユーザインデックス作成手段により作成されたユーザインデックスを記憶する記憶手段とを備えることを特徴とする。
【０００８】
受付手段によりシーンインデックスの再生の指令が受け付けられた場合、記憶手段に記憶されているシーンインデックスの第１のインデックス画像データに基づくシーンインデックス画像を表示部に表示させるよう表示を制御する表示制御手段をさらに備えるものとすることができる。
【０００９】
表示制御手段により表示部に表示されたシーンインデックス画像の再生の指令が受付手段によりさらに受け付けられた場合、記録媒体に記録されている動画像データを、再生が指令されたシーンインデックスに含まれる位置データに対応する位置から再生する再生手段をさらに備えるものとすることができる。
【００１０】
表示制御手段は、表示部に表示されたシーンインデックス画像の選択の指令が受付手段によりさらに受け付けられた場合、選択が指令されたシーンインデックスより後に記憶手段に記憶された所定の数の詳細インデックスのそれぞれの第２のインデックス画像データに基づく詳細インデックス画像を表示部に表示させるよう表示をさらに制御するものとすることができる。
【００１１】
受付手段によりシーンインデックス画像の再生の指令が受け付けられた場合、記憶手段に記憶されているシーンインデックスの第１のインデックス画像データに基づくシーンインデックス画像と、記憶手段に記憶されているユーザインデックスの第３のインデックス画像データに基づくユーザインデックス画像とを表示部に表示させるよう表示を制御する表示制御手段をさらに備えるものとすることができる。
【００１２】
記録媒体に記録されている動画像データを再生する再生手段をさらに備え、再生手段は、
表示制御手段により表示部に表示されたシーンインデックス画像の再生の指令が受付手段によりさらに受け付けられた場合、再生が指令されたシーンインデックス画像が対応するシーンインデックスに含まれる位置データに対応する位置から、記録媒体に記録されている動画像データを再生し、表示制御手段により表示部に表示されたユーザインデックス画像の再生の指令が受付手段によりさらに受け付けられた場合、再生が指令されたユーザインデックス画像が対応するユーザインデックスに含まれる位置データに対応する位置から、記録媒体に記録されている動画像データを再生するものとすることができる。
【００１３】
記録媒体に記録されている動画像データを再生する再生手段をさらに備え、ユーザインデックス作成手段は、再生手段により動画像データが再生されている場合に、受付手段により動画像データの再生を停止する指令が受け付けられた場合、その指令が受け付けられた時刻に動画像データが再生されている記録媒体の空間上の位置を示す位置データと、動画像データのうちのその時刻における画像のデータに対応する第３のインデックス画像データと、その時刻を示す日時データとを少なくとも含むユーザインデックスをさらに作成するものとすることができる。
【００１４】
本発明の記録再生方法は、動画像データの入力を受け付ける動画像データ受付ステップと、動画像データの記録媒体への記録の指令が受け付けられた場合、動画像データ受付ステップの処理により受け付けられた動画像データを記録媒体に記録するよう制御する記録制御ステップと、記録制御ステップにより記録媒体への記録の制御が開始された時に、動画像データが記録される記録媒体の空間上の位置を示す位置データと、記録する動画像データ全体のうちの任意の画像のデータに対応する第１のインデックス画像データと、記録が開始された時点における日時を示す日時データとを少なくとも含むシーンインデックスを作成するシーンインデックス作成ステップと、記録制御ステップによる記録媒体への記録中において、所定の時間ごとに、その時刻に動画像データが記録されている記録媒体の空間上の位置を示す位置データと、動画像データのうちのその時刻における画像のデータに対応する第２のインデックス画像データと、その時刻を示す日時データとを少なくとも含む詳細インデックスを作成する詳細インデックス作成ステップと、ユーザインデックスの作成の指令が受け付けられた場合、指令が受け付けられた時刻に動画像データが記録されている記録媒体の空間上の位置を示す位置データと、動画像データのうちのその時刻における画像のデータに対応する第３のインデックス画像データと、その時刻を示す日時データとを少なくとも含むユーザインデックスを作成するユーザインデックス作成ステップと、シーンインデックス作成ステップの処理により作成されたシーンインデックス、詳細インデックス作成ステップの処理により作成された詳細インデックス、およびユーザインデックス作成ステップの処理により作成されたユーザインデックスを記憶部に記憶させるよう制御する記憶制御ステップとを含むことを特徴とする。
【００１５】
本発明のプログラムは、動画像データの入力を受け付ける動画像データ受付ステップと、動画像データの記録媒体への記録の指令が受け付けられた場合、動画像データ受付ステップの処理により受け付けられた動画像データを記録媒体に記録するよう制御する記録制御ステップと、記録制御ステップにより記録媒体への記録の制御が開始された時に、動画像データが記録される記録媒体の空間上の位置を示す位置データと、記録する動画像データ全体のうちの任意の画像のデータに対応する第１のインデックス画像データと、記録が開始された時点における日時を示す日時データとを少なくとも含むシーンインデックスを作成するシーンインデックス作成ステップと、記録制御ステップによる記録媒体への記録中において、所定の時間ごとに、その時刻に動画像データが記録されている記録媒体の空間上の位置を示す位置データと、動画像データのうちのその時刻における画像のデータに対応する第２のインデックス画像データと、その時刻を示す日時データとを少なくとも含む詳細インデックスを作成する詳細インデックス作成ステップと、ユーザインデックスの作成の指令が受け付けられた場合、指令が受け付けられた時刻に動画像データが記録されている記録媒体の空間上の位置を示す位置データと、動画像データのうちのその時刻における画像のデータに対応する第３のインデックス画像データと、その時刻を示す日時データとを少なくとも含むユーザインデックスを作成するユーザインデックス作成ステップと、シーンインデックス作成ステップの処理により作成されたシーンインデックス、詳細インデックス作成ステップの処理により作成された詳細インデックス、およびユーザインデックス作成ステップの処理により作成されたユーザインデックスを記憶部に記憶させるよう制御する記憶制御ステップとを含む処理をコンピュータに実行させることを特徴とする。
【００１６】
本発明においては、記録媒体への動画像データの記録の制御が開始された時に、動画像データが記録される記録媒体の空間上の位置を示す位置データと、記録する動画像データ全体のうちの任意の画像のデータに対応する第１のインデックス画像データと、記録が開始された時点における日時を示す日時データとを少なくとも含むシーンインデックスが作成され、記録媒体への記録中において、所定の時間ごとに、その時刻に動画像データが記録されている記録媒体の空間上の位置を示す位置データと、動画像データのうちのその時刻における画像のデータに対応する第２のインデックス画像データと、その時刻を示す日時データとを少なくとも含む詳細インデックスが作成され、ユーザインデックスの作成の指令が受け付けられた場合、指令が受け付けられた時刻に動画像データが記録されている記録媒体の空間上の位置を示す位置データと、動画像データのうちのその時刻における画像のデータに対応する第３のインデックス画像データと、その時刻を示す日時データとを少なくとも含むユーザインデックスが作成され、これらのシーンインデックス、詳細インデックス、およびユーザインデックスが記憶部に記憶される。
【発明の効果】
【００１７】
本発明によれば、動画像データの再生や編集をより容易に行うことができる。特に、本発明によれば、動画像データの内容を把握しやすくすることができる。また、所望する再生位置の検索を迅速に行うことができる。
【発明を実施するための最良の形態】
【００１８】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認するためのものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１９】
さらに、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００２０】
請求項１に記載の記録再生装置（例えば、図１の記録再生装置１１）は、
ユーザからの指令を受け付ける受付手段（例えば、図１の操作入力部２７）と、
前記動画像データの入力を受け付ける動画像データ受付手段（例えば、図６のステップＳ１２の処理を実行する図１の撮像部４１）と、
前記受付手段により前記動画像データの記録媒体（例えば、図１の記録媒体４４）への記録の指令が受け付けられた場合、前記動画像データ受付手段により受け付けられた前記動画像データを前記記録媒体に記録する記録手段（例えば、図６のステップＳ１６の処理を実行する図１の記録再生制御部２８）と、
前記記録手段により前記記録媒体への記録が開始された時に、前記動画像データが記録される前記記録媒体の空間上の位置を示す位置データ（例えば、図３のシーン開始時における記録媒体上の位置データ１０２）と、記録する前記動画像データ全体のうちの任意の画像のデータに対応する第１のインデックス画像データ（例えば、図３のインデックス画像データ１０１）と、記録が開始された時点における日時を示す日時データ（例えば、図３の日時データ１０４）とを少なくとも含むシーンインデックス（例えば、図３のシーンインデックス１００）を作成するシーンインデックス作成手段（例えば、図１のシーンインデックス作成部６１）と、
前記記録手段による前記記録媒体への記録中において、所定の時間ごとに、その時刻に前記動画像データが記録されている前記記録媒体の空間上の位置を示す位置データ（例えば、図４の詳細インデックスの作成時における記録媒体上の位置データ１１２）と、前記動画像データのうちのその時刻における画像のデータに対応する第２のインデックス画像データ（例えば、図４のインデックス画像データ１１１）と、その時刻を示す日時データ（例えば、図４の位置データ１１３）とを少なくとも含む詳細インデックス（例えば、図４の詳細インデックス１１０）を作成する詳細インデックス作成手段（例えば、図１の詳細インデックス作成部６２）と、
前記受付手段によりユーザインデックスの作成の指令が受け付けられた場合、指令が受け付けられた時刻に前記動画像データが記録されている前記記録媒体の空間上の位置を示す位置データ（例えば、図５のユーザインデックス作成時における記録媒体上の位置データ１２２）と、前記動画像データのうちのその時刻における画像のデータに対応する第３のインデックス画像データ（例えば、図５のインデックス画像データ１２１）と、その時刻を示す日時データ（例えば、図５の日時データ１２３）とを少なくとも含むユーザインデックス（例えば、図５のユーザインデックス１２０）を作成するユーザインデックス作成手段（例えば、図１のユーザインデックス作成部６３）と、
前記シーンインデックス作成手段により作成された前記シーンインデックス、前記詳細インデックス作成手段により作成された前記詳細インデックス、および前記ユーザインデックス作成手段により作成された前記ユーザインデックスを記憶する記憶手段（例えば、メモリカード２９）とを備えることを特徴とする。
【００２１】
請求項２に記載の記録再生装置は、
前記受付手段により前記シーンインデックスの再生の指令が受け付けられた場合、前記記憶手段に記憶されている前記シーンインデックスの前記第１のインデックス画像データに基づくシーンインデックス画像を表示部に表示させるよう表示を制御する表示制御手段（例えば、図１１のステップＳ５５の処理を実行する図１の表示制御部３０）をさらに備えることを特徴とする。
【００２２】
請求項３に記載の記録再生装置は、
前記表示制御手段により前記表示部に表示された前記シーンインデックス画像の再生の指令が受付手段によりさらに受け付けられた場合、前記記録媒体に記録されている前記動画像データを、再生が指令された前記シーンインデックスに含まれる前記位置データに対応する位置から再生する再生手段（例えば、図１１のステップＳ６０の処理を実行する図１の記録再生制御部２８とCPU２２）をさらに備えることを特徴とする。
【００２３】
請求項４に記載の記録再生装置の前記表示制御手段は、前記表示部に表示された前記シーンインデックス画像の選択の指令が前記受付手段によりさらに受け付けられた場合、選択が指令された前記シーンインデックスより後に前記記憶手段に記憶された所定の数の前記詳細インデックスのそれぞれの前記第２のインデックス画像データに基づく詳細インデックス画像を前記表示部に表示させるよう表示をさらに制御する（例えば、図１１のステップＳ５８の処理を実行する図１の表示制御部３０）ことを特徴とする。
【００２４】
請求項５に記載の記録再生装置の前記受付手段により前記シーンインデックス画像の再生の指令が受け付けられた場合、前記記憶手段に記憶されている前記シーンインデックスの前記第１のインデックス画像データに基づくシーンインデックス画像と、前記記憶手段に記憶されている前記ユーザインデックスの前記第３のインデックス画像データに基づくユーザインデックス画像と（例えば、図１３）を表示部に表示させるよう表示を制御する表示制御手段をさらに備える（例えば、図１１のステップＳ５５の処理を実行する図１の表示制御部３０）ことを特徴とする。
【００２５】
請求項６に記載の記録再生装置は、
記録媒体に記録されている前記動画像データを再生する再生手段（例えば、図１のCPU２２と記録再生制御部２８）をさらに備え、
前記再生手段は、
前記表示制御手段により前記表示部に表示された前記シーンインデックス画像の再生の指令が受付手段によりさらに受け付けられた場合、再生が指令された前記シーンインデックス画像が対応する前記シーンインデックスに含まれる前記位置データに対応する位置から、前記記録媒体に記録されている前記動画像データを再生し、前記表示制御手段により前記表示部に表示された前記ユーザインデックス画像の再生の指令が受付手段によりさらに受け付けられた場合、再生が指令された前記ユーザインデックス画像が対応する前記ユーザインデックスに含まれる前記位置データに対応する位置から、前記記録媒体に記録されている前記動画像データを再生する（例えば、図１２のステップＳ６０）ことを特徴とする。
【００２６】
請求項７に記載の記録再生装置は、
記録媒体に記録されている前記動画像データを再生する再生手段（例えば、図１の記録CPU２２と再生制御部２８）をさらに備え、
前記ユーザインデックス作成手段は、前記再生手段により前記動画像データが再生されている場合に、前記受付手段により前記動画像データの再生を停止する指令が受け付けられた場合、その指令が受け付けられた時刻に前記動画像データが再生されている前記記録媒体の空間上の位置を示す位置データと、前記動画像データのうちのその時刻における画像のデータに対応する第３のインデックス画像データと、その時刻を示す日時データとを少なくとも含むユーザインデックスをさらに作成する（例えば、図１２のステップＳ６２）ことを特徴とする。
【００２７】
請求項８に記載の記録再生方法は、複数の画像からなる動画像のデータである動画像データを記録する記録再生装置（例えば、図１の記録再生装置１１）の記録方法であって、
前記動画像データの入力を受け付ける動画像データ受付ステップ（例えば、図６のステップＳ１２）と、
前記動画像データの記録媒体（例えば、図１の記録媒体４４）への記録の指令が受け付けられた場合、前記動画像データ受付ステップの処理により受け付けられた前記動画像データを前記記録媒体に記録するよう制御する記録制御ステップ（例えば、図６のステップＳ１６）と、
前記記録制御ステップにより前記記録媒体への記録の制御が開始された時に、前記動画像データが記録される前記記録媒体の空間上の位置を示す位置データ（例えば、図３のシーン開始時における記録媒体上の位置データ１０２）と、記録する前記動画像データ全体のうちの任意の画像のデータに対応する第１のインデックス画像データ（例えば、図３のインデックス画像データ１０１）と、記録が開始された時点における日時を示す日時データ（例えば、図３の日時データ１０４）とを少なくとも含むシーンインデックス（例えば、図３のシーンインデックス１００）を作成するシーンインデックス作成ステップ（例えば、図６のステップＳ１７）と、
前記記録制御ステップによる前記記録媒体への記録中において、所定の時間ごとに、その時刻に前記動画像データが記録されている前記記録媒体の空間上の位置を示す位置データ（例えば、図４の詳細インデックスの作成時における記録媒体上の位置データ１１２）と、前記動画像データのうちのその時刻における画像のデータに対応する第２のインデックス画像データ（例えば、図４のインデックス画像データ１１１）と、その時刻を示す日時データ（例えば、図４の位置データ１１３）とを少なくとも含む詳細インデックス（例えば、図４の詳細インデックス１１０）を作成する詳細インデックス作成ステップ（例えば、図７のステップＳ２０）と、
ユーザインデックスの作成の指令が受け付けられた場合、指令が受け付けられた時刻に前記動画像データが記録されている前記記録媒体の空間上の位置を示す位置データ（例えば、図５のユーザインデックス作成時における記録媒体上の位置データ１２２）と、前記動画像データのうちのその時刻における画像のデータに対応する第３のインデックス画像データ（例えば、図５のインデックス画像データ１２１）と、その時刻を示す日時データ（例えば、図５の日時データ１２３）とを少なくとも含むユーザインデックス（例えば、図５のユーザインデックス１２０）を作成するユーザインデックス作成ステップ（例えば、図７のステップＳ２３）と、
前記シーンインデックス作成ステップの処理により作成された前記シーンインデックス、前記詳細インデックス作成ステップの処理により作成された前記詳細インデックス、および前記ユーザインデックス作成ステップの処理により作成された前記ユーザインデックスを記憶部（例えば、図１のメモリカード２９）に記憶させるよう制御する記憶制御ステップ（例えば、図１のCPU２２）とを含むことを特徴とする。
【００２８】
請求項９に記載のプログラムは、
前記動画像データの入力を受け付ける動画像データ受付ステップ（例えば、図６のステップＳ１２）と、
前記動画像データの記録媒体（例えば、図１の記録媒体４４）への記録の指令が受け付けられた場合、前記動画像データ受付ステップの処理により受け付けられた前記動画像データを前記記録媒体に記録するよう制御する記録制御ステップ（例えば、図６のステップＳ１６）と、
前記記録制御ステップにより前記記録媒体への記録の制御が開始された時に、前記動画像データが記録される前記記録媒体の空間上の位置を示す位置データ（例えば、図３のシーン開始時における記録媒体上の位置データ１０２）と、記録する前記動画像データ全体のうちの任意の画像のデータに対応する第１のインデックス画像データ（例えば、図３のインデックス画像データ１０１）と、記録が開始された時点における日時を示す日時データ（例えば、図３の日時データ１０４）とを少なくとも含むシーンインデックス（例えば、図３のシーンインデックス１００）を作成するシーンインデックス作成ステップ（例えば、図６のステップＳ１７）と、
前記記録制御ステップによる前記記録媒体への記録中において、所定の時間ごとに、その時刻に前記動画像データが記録されている前記記録媒体の空間上の位置を示す位置データ（例えば、図４の詳細インデックスの作成時における記録媒体上の位置データ１１２）と、前記動画像データのうちのその時刻における画像のデータに対応する第２のインデックス画像データ（例えば、図４のインデックス画像データ１１１）と、その時刻を示す日時データ（例えば、図４の位置データ１１３）とを少なくとも含む詳細インデックス（例えば、図４の詳細インデックス１１０）を作成する詳細インデックス作成ステップ（例えば、図７のステップＳ２０）と、
ユーザインデックスの作成の指令が受け付けられた場合、指令が受け付けられた時刻に前記動画像データが記録されている前記記録媒体の空間上の位置を示す位置データ（例えば、図５のユーザインデックス作成時における記録媒体上の位置データ１２２）と、前記動画像データのうちのその時刻における画像のデータに対応する第３のインデックス画像データ（例えば、図５のインデックス画像データ１２１）と、その時刻を示す日時データ（例えば、図５の日時データ１２３）とを少なくとも含むユーザインデックス（例えば、図５のユーザインデックス１２０）を作成するユーザインデックス作成ステップ（例えば、図７のステップＳ２３）と、
前記シーンインデックス作成ステップの処理により作成された前記シーンインデックス、前記詳細インデックス作成ステップの処理により作成された前記詳細インデックス、および前記ユーザインデックス作成ステップの処理により作成された前記ユーザインデックスを記憶部（例えば、図１のメモリカード２９）に記憶させるよう制御する記憶制御ステップ（例えば、図１のCPU２２）と
を含む処理をコンピュータに実行させることを特徴とする。
【００２９】
以下、図を参照して、本発明を適用した一実施の形態について説明する。
【００３０】
図１は、本発明を適用した記録再生装置１１の構成例を示すブロック図である。この記録再生装置１１は、動画像データと音声データを少なくとも含むコンテンツを記録媒体４４に記録したり、記録媒体４４に記録されているコンテンツを再生したりする装置である。
【００３１】
図１の記録再生装置１１のバス２１には、CPU(Central Processing Unit)２２、画像処理部２３、音声処理部２４、タイマ２５、インデックス作成部２６、操作入力部２７、記録再生制御部２８、メモリカード２９、表示制御部３０、およびスピーカ３１が接続されいる。バス２１に接続される各部は、それぞれバス２１を介するデータの授受が可能とされている。
【００３２】
CPU２２は、バス２１を介して接続されている各部を適宜制御する。画像処理部２３は、撮像部４１と接続されている。撮像部４１は、例えば、CCDなどにより構成されており、被写体の画像を連続的に撮像し、撮像して得られた複数の画像データからなる動画像データを、画像処理部２３に供給する。画像処理部２３は、撮像部４１から供給されてきた画像データ（複数の画像データからなる動画像データ）に対して、記録媒体４４に記録させるためのフォーマット、例えば、ＤＶ(Digital Video)フォーマットに変換する処理である画像処理を施す。
【００３３】
音声処理部２４は、音声入力部４２と接続されている。音声入力部４２は、例えば、マイクなどにより構成されており、外部の音声の入力を受け付ける。そして、音声入力部４２は、外部の音声を取り込んで得られた音声データを、音声処理部２４に供給する。音声処理部２４は、音声入力部４２から供給されてきた音声データに対して、記録媒体４４に記録させるためのフォーマット、例えば、ＤＶフォーマットに変換する処理である音声処理を施す。
【００３４】
タイマ２５は、時刻を計時する。例えば、タイマ２５は、現在時刻を計時する。また、例えば、タイマ２５は、所定の時間が経過するごとに（後述する詳細インデックスを作成するタイミングで）、その旨を、バス２１を介してCPU２２に通知したりする。
【００３５】
インデックス作成部２６は、記録媒体４４に記録されているコンテンツを再生するために利用されるコンテンツのインデックス（見出し）を作成する。インデックスは、例えば、記録されているコンテンツを、ユーザが所望する位置（シーン）から再生するために利用されたり、記録されているコンテンツを編集するために利用されたりする見出しである。なお、本実施の形態において、コンテンツには、動画像データと音声データが少なくとも含まれている。
【００３６】
インデックス作成部２６には、シーンインデックス作成部６１、詳細インデックス作成部６２、およびユーザインデックス作成部６３が設けられている。シーンインデックス作成部６１は、コンテンツのシーンインデックスを作成し、詳細インデックス作成部６２は、コンテンツの詳細インデックスを作成し、ユーザインデックス作成部６３は、コンテンツのユーザインデックスを作成する。図２に、各シーンインデックスが作成される条件（作成条件）を示す。
【００３７】
シーンインデックスとは、コンテンツとコンテンツの区切り（シーンとシーンの区切り）を示すインデックスである。ここで、シーンインデックス１００に含まれるデータの例を図３に示す。シーンインデックス１００には、インデックス画像データ１０１、シーン開始時における記録媒体上の位置データ１０２、シーン停止時における記録媒体上の位置データ１０３、日時データ１０４、シーンタイトルデータ１０５、および付加データ１０６が含まれている。
【００３８】
インデックス画像データ１０１は、記録媒体４４に記録されるコンテンツ（１つのシーン）全体のうちの任意の画像のデータに対応する画像データである。具体的には、インデックス画像データ１０１は、記録媒体４４に記録されるコンテンツ全体のうちの任意の画像データに基づいて作成される画像データである。例えば、コンテンツの記録媒体４４への記録が開始された時に記録媒体４４に記録される画像データ（コンテンツに含まれる画像データ）に対応する画像データ、すなわち、コンテンツ（動画像データ）のうちの１フレーム目の画像のデータに対応する画像データであってもよいし、コンテンツの記録媒体４４への記録が開始された後、３０秒後に記録媒体４４に記録される画像データに対応する画像データであってもよい。本実施の形態においては、コンテンツの記録媒体４４への記録が開始された時点において、記録媒体４４に記録される画像データ（コンテンツに含まれる動画像データのうちの１フレーム分の画像データ）そのものがインデックス画像データ１０１とされるものとする。なお、記録媒体４４に記録される画像データを間引いて低解像度の画像データとしたものを、インデックス画像データ１０１としてもよい。ここで、コンテンツ（１つのシーン）の記録媒体４４への記録が開始された時に記録媒体４４に記録される画像データ（コンテンツに含まれる画像データ）に対応する画像データとは、記録媒体４４に記録される画像データそのもの、または、記録媒体４４に記録される画像データに基づいて作成される画像データを示す。
【００３９】
シーン開始時における記録媒体４４上の位置データ１０２は、コンテンツ（１つのシーン）の記録媒体４４への記録が開始された時に、コンテンツ（画像データ）が記録される記録媒体４４の空間上の位置を示すデータである。換言すれば、インデックス画像データ１０１に対応する画像が記録されている記録媒体４４の空間上の記録位置を示すデータが、シーン開始時における記録媒体上の位置データ１０２とされる。すなわち、シーン開始時における記録媒体４４上の位置データ１０２によれば、シーンの再生位置を特定することができる。
【００４０】
シーン停止時における記録媒体上の位置データ１０３は、コンテンツ（１つのシーン）の記録媒体４４への記録が終了（停止）された時に、コンテンツ（画像データ）が記録される記録媒体４４の空間上の位置を示すデータである。
【００４１】
日時データ１０４は、コンテンツ（１つのシーン）の記録媒体４４への記録が開始された日時を示すデータである。シーンタイトルデータ１０５は、シーン（コンテンツ）のタイトルを表すデータである。付加データ１０６は、このコンテンツ（１つのシーン）自体に対応する付加的なデータである。例えば、付加データ１０６には、撮像部４１により撮像が行われたときのフレームレートや光量などのデータが含まれる。
【００４２】
このように、シーンインデックス１００は、図２に示されるように、録画開始時（１つのシーンの記録開始時）に作成される。また、図３に示されるように、シーンインデックス１００には、そのシーンの記録開始時における画像データに対応するインデックス画像データ１０１、そのシーンの記録が開始された記録媒体４４上の位置データ（シーン開始時における記録媒体４４上の位置データ１０２）（いわゆるシーンのスタート点に対応する記録媒体４４上の位置データ）、そのシーンの記録が停止された記録媒体４４上の位置データ（シーン停止時における記録媒体４４上の位置データ１０３）（いわゆるシーンのエンド点に対応する記録媒体４４上の位置データ）そのシーンの記録が開始された時点における日時データ１０４、シーンタイトルデータ１０５、および付加データ１０６が含まれる。
【００４３】
詳細インデックスとは、コンテンツ内（１つのシーン内）において所定の時間ごとに作成されるインデックスである。ここで、詳細インデックス１１０に含まれるデータの例を図４に示す。詳細インデックス１１０には、インデックス画像データ１１１、詳細インデックス作成時における記録媒体上の位置データ１１２、および日時データ１１３が含まれている。
【００４４】
インデックス画像データ１１１は、詳細インデックス１１０が作成される時点（所定の時間ごと）において記録媒体４４に記録される画像データ（コンテンツに含まれる画像データ）に対応する画像データである。具体的には、インデックス画像データ１１１は、詳細インデックス１１０が作成される時点（所定の時間ごと）において記録媒体４４に記録される画像データ（コンテンツに含まれる画像データ）に基づいて作成される画像データである。例えば、詳細インデックス１１０が作成される時点において、記録媒体４４に記録される画像データ（コンテンツに含まれる動画像データのうちの１フレーム分の画像データ）そのものがインデックス画像データ１１１とされる。なお、記録媒体４４に記録される画像データを間引いて低解像度の画像データとしたものをインデックス画像データ１１１としてもよい。ここで、詳細インデックス１１０が作成される時点（所定の時間ごと）において記録媒体４４に記録される画像データに対応する画像データとは、記録媒体４４に記録される画像データそのもの、または、記録媒体４４に記録される画像データに基づいて作成される画像データを示す。
【００４５】
詳細インデックス作成時における記録媒体上の位置データ１１２は、詳細インデックス１１０が作成される時（所定の時間ごと）に、コンテンツ（画像データ）が記録される記録媒体４４の空間上の位置を示すデータである。換言すれば、インデックス画像データ１１１に対応する画像が記録されている記録媒体４４の空間上の記録位置を示すデータが、詳細インデックス作成時における記録媒体上の位置データ１１２とされる。この記録媒体上の位置データに対応する位置は、この詳細インデックス画像に対応する画像データの位置に対応している。
【００４６】
日時データ１１３は、この詳細インデックス１１０を作成した日時を示すデータである。
【００４７】
このように、詳細インデックス１１０は、図２に示されるように、所定の時間ごとに作成される。すなわち、詳細インデックス１１０は、１つのコンテンツ（シーン）に対して複数個作成される。また、図４に示されるように、詳細インデックス１１０には、詳細インデックス１１０の作成時における画像データに対応するインデックス画像データ１１１、詳細インデックス１１０作成時における記録媒体４４上の位置データ１１２、および詳細インデックス１１０が作成された日時を示す日時データ１１３が含まれる。
【００４８】
ユーザインデックスとは、ユーザによりユーザインデックスの作成が指令された場合に作成されるインデックスである。ここで、ユーザインデックス１２０に含まれるデータの例を図５に示す。ユーザインデックス１２０には、インデックス画像データ１２１、ユーザインデックス作成時における記録媒体上の位置データ１２２、および日時データ１２３が含まれている。
【００４９】
インデックス画像データ１２１は、ユーザインデックス１２０が作成される時点において記録媒体４４に記録される画像データ（コンテンツに含まれる画像データ）に対応する画像データである。具体的には、インデックス画像データ１２１は、ユーザインデックス１２０が作成される時点において記録媒体４４に記録される画像データ（コンテンツに含まれる画像データ）に基づいて作成される画像データである。例えば、ユーザインデックス１２０が作成される時点において、記録媒体４４に記録される画像データ（コンテンツに含まれる動画像データのうちの１フレーム分の画像データ）そのものがインデックス画像データ１２１とされる。なお、記録媒体４４に記録される画像データを間引いて低解像度の画像データとしたものをインデックス画像データ１２１としてもよい。ここで、ユーザインデックス１２０が作成される時点において記録媒体４４に記録される画像データに対応する画像データとは、記録媒体４４に記録される画像データそのもの、または、記録媒体４４に記録される画像データに基づいて作成される画像データを示す。
【００５０】
ユーザインデックス作成時における記録媒体上の位置データ１２２は、ユーザインデックス１２０が作成される時に、コンテンツ（画像データ）が記録される記録媒体４４の空間上の位置を示すデータである。換言すれば、インデックス画像データ１２１に対応する画像が記録されている記録媒体の空間上の位置を示すデータが、ユーザインデックス作成時における記録媒体上の位置データ１２２とされる。
【００５１】
日時データ１２３は、このユーザインデックス１２０を作成した日時を示すデータである。
【００５２】
このように、ユーザインデックス１２０は、図２に示されるように、ユーザインデックス作成ボタン５５が選択（操作）された場合に作成される。なお、実際には、再生停止ボタン５４が選択された場合にもユーザインデックスが作成されることがあるが、必ず作成されるわけでもないので、図２には示していない。また、図５に示されるように、ユーザインデックス１２０には、ユーザインデックス１２０作成時における画像データに対応するインデックス画像データ１２１、ユーザインデックス１２０作成時における記録媒体４４上の位置データ１２２、およびユーザインデックス１２０が作成された日時を示す日時データ１２３が含まれる。
【００５３】
シーンインデックス作成部６１は、図３を用いて説明したシーンインデックス１００を作成し、詳細インデックス作成部６２は、図４を用いて説明した詳細インデックス１１０を作成し、ユーザインデックス作成部６３は、図５を用いて説明したユーザインデックス１２０を作成する。また、インデックス作成部２６（シーンインデックス作成部６１、詳細インデックス作成部６２、およびユーザインデックス作成部６３）により作成された各種のインデックスは、図１のメモリカード２９に記憶される。
【００５４】
操作入力部２７は、ユーザからの操作入力（指令）を受け付ける。操作入力部２７には、録画開始ボタン５１、録画停止ボタン５２、再生開始ボタン５３、再生停止ボタン５４、およびユーザインデックス作成ボタン５５が設けられている。
【００５５】
録画開始ボタン５１は、録画（すなわち、コンテンツの記録媒体４４への記録）の開始を指令するために選択（操作）される。録画停止ボタン５２は、録画の停止を指令するために選択（操作）される。すなわち、録画開始ボタン５１と録画停止ボタン５２により、録画が切り換えられる。なお、録画開始ボタン５１と録画停止ボタン５２とを、一体的に構成するようにしてもよい。この場合、一体的に構成されたボタンの選択（操作）により録画の開始と停止が切り換えられるようにすればよい。
【００５６】
再生開始ボタン５３は、再生の開始を指令するために選択（操作）される。例えば、再生開始ボタン５３は、記録媒体４４に記録されているコンテンツの再生の開始や、メモリカード２９に記憶されている各種インデックスの再生（表示）を指令するために選択（操作される）。再生停止ボタン５４は、再生の停止を指令するために選択（操作）される。例えば、再生停止ボタン５４は、記録媒体４４に記録されているコンテンツの再生の停止を指令するために選択（操作される）。なお、再生開始ボタン５３と再生停止ボタン５４とを、一体的に構成するようにしてもよい。この場合、一体的に構成されたボタンの選択（操作）により再生の開始と停止が切り換えられるようにすればよい。
【００５７】
ユーザインデックス作成ボタン５５は、ユーザインデックスの作成を指令するために選択（操作）される。すなわち、ユーザによりユーザインデックス作成ボタン５５が選択された場合、ユーザインデックスが作成される。
【００５８】
記録再生制御部２８は、接続されている記録媒体４４への記録を制御する。具体的には、記録再生制御部２８は、記録媒体４４にコンテンツを記録させるよう制御したり（コンテンツを書き込んだり）、記録媒体４４に記録されているコンテンツを再生するよう制御したり（コンテンツを読み出したり）する。記録媒体４４は、例えば、ＤＶテープ（ディジタルビデオテープ）などのテープメディアとされる。
【００５９】
メモリカード２９は、例えば、メモリスティック（商標）やフラッシュメモリとされる。メモリカード２９は、インデックス作成部２６により作成された各種のインデックス（シーンインデックス、詳細インデックス、およびユーザインデックス）を適宜記憶する。
【００６０】
表示制御部３０は、接続されている表示部４３への表示を制御する。具体的には、表示制御部３０は、表示部４３に画像を表示させるよう表示部４３への表示を制御する。表示部４３は、例えば、CRT（Cathode Ray Tube）やLCD（Liquid Crystal Display）などとされている。
【００６１】
スピーカ３１は、音声を出力する。例えば、スピーカ３１は、CPU２２からのバス２１を介する制御に基づいて、音声データに基づく音声を出力する。
【００６２】
記録媒体４４に記録されているコンテンツの再生は、表示部４３に画像（コンテンツに含まれる画像データに基づく画像）が表示され、スピーカ３１に音声（コンテンツに含まれる音声データに基づく音声）が出力されることで行われる。
【００６３】
次に、図６と図７のフローチャートを参照して、図１の記録再生装置１１における録画処理（記録処理）を説明する。なお、この処理は、記録再生装置１１の電源がオンされたとき開始される。
【００６４】
ステップＳ１１において、操作入力部２７は、ユーザにより録画開始が指令されたか否かを判定し、録画開始が指令されるまで処理を待機する。具体的には、操作入力部２７は、録画開始ボタン５１がユーザにより選択されたか否かを判定する。
【００６５】
ステップＳ１１において、録画開始が指令されたと判定された場合、処理はステップＳ１２に進み、撮像部４１は、動画像データの取り込みを開始する。例えば、撮像部４１は、被写体の画像を連続的に撮像し、撮像して得られた複数の画像のデータからなる動画像データの取り込みを開始する。撮像部４１は、取り込んだ動画像データ（複数の画像データ）を、画像処理部２３に供給する。
【００６６】
ステップＳ１３において、画像処理部２３は、（撮像部４１から供給された）複数の画像データからなる動画像データを、記録媒体４４に記録させるためのＤＶフォーマットに変換する処理である画像処理を開始する。画像処理部２３は、ＤＶフォーマットに変換した動画像データを、適宜、バス２１を介して記録再生制御部２８に供給する。
【００６７】
ステップＳ１４において、音声入力部４２は、音声の取り込みを開始する。例えば、音声入力部４２は、外部の音声の取り込みを開始し、取り込んで得られた音声データを、音声処理部２４に供給する。
【００６８】
ステップＳ１５において、音声処理部２４は、（音声入力部４２から供給された）音声データを、記録媒体４４に記録させるためのＤＶフォーマットに変換する処理である音声処理を開始する。音声処理部２４は、ＤＶフォーマットに変換した音声データを、適宜、バス２１を介して記録再生制御部２８に供給する。
【００６９】
ステップＳ１６において、記録再生制御部２８は、記録媒体４４への記録（録画）を開始する。具体的には、記録再生制御部２８は、画像処理部２３からバス２１を介して供給されてきた動画像データ（ＤＶフォーマットに変換された、複数の画像データからなる動画像データ）と、音声処理部２４からバス２１を介して供給されてきた音声データ（ＤＶフォーマットに変換された、音声データ）とを含むコンテンツを、記録媒体４４に記録（録画）させるよう制御する（書き込む）。
【００７０】
ここまでの処理により、記録媒体４４へのコンテンツの記録（録画）が開始されたことになる。そこで、CPU２２は、シーンインデックス１００の作成を、バス２１を介してインデックス作成部２６に指令する。
【００７１】
これに対して、インデックス作成部２６のシーンインデックス作成部６１は、ステップＳ１７において、シーンインデックス１００を作成する。具体的には、シーンインデックス作成部６１は、記録媒体４４への記録が開始された時に最初に記録媒体４４に記録される画像データ（コンテンツに含まれる画像データ）を、バス２１を介して画像処理部２３から取得し、これに基づいて、図３のインデックス画像データ１１１を作成する。また、シーンインデックス作成部６１は、記録媒体４４への記録が開始された時にコンテンツが記録される記録媒体４４の空間上の位置を示すデータを、バス２１を介して記録再生制御部２８から取得し、これに基づいて、図３のシーン開始時における記録媒体上の位置データ１０２を作成する。さらに、シーンインデックス作成部６１は、現在時刻を、バス２１を介してタイマ２５から取得し、これに基づいて、図３の日時データ１０４を作成する。なお、シーンタイトルデータ１０５や付加データ１０６は、ユーザからの操作入力部２７への入力や、撮像部４１などの設定により適宜作成される。これにより、図３のインデックス画像データ１０１、シーン開始時における記録媒体上の位置データ１０２、日時データ１０４、シーンタイトルデータ１０５、および付加データ１０６を含むシーンインデックス１００が作成される。なお、シーン停止時における記録媒体上の位置データ１０３は、まだ、シーンが停止されていないので、作成されていない。
【００７２】
ステップＳ１８において、CPU２２は、インデックス作成部２６のシーンインデックス作成部６１により作成されたシーンインデックス１００を、バス２１を介してメモリカード２９に記憶させる。
【００７３】
ステップＳ１９において、CPU２２は、所定の時間が経過したか否かを判定する。例えば、CPU２２は、バス２１を介してタイマ２５から所定の時間が経過したことを示す通知がなされたか否かに基づいてこれを判定する。なお、タイマ２５が単に時刻を計時するものである場合には、CPU２２が、タイマが計時する時刻に基づいて、所定の時間が経過したか否かを判定すればよい。また、１回目のステップＳ１９の処理では、CPU２２は、録画が開始してから所定の時間（例えば、１分）が経過したか否かを判定し、２回目以降のステップＳ１９の処理では、前回詳細インデックス１１０を作成してから、所定の時間（例えば、１分）が経過したか否かを判定する。ステップＳ１９において、所定の時間が経過したと判定された場合、CPU２２は、詳細インデックス１１０の作成を、バス２１を介してインデックス作成部２６に指令する。
【００７４】
これに対して、インデックス作成部２６の詳細インデックス作成部６２は、ステップＳ２０において、詳細インデックス１１０を作成する。具体的には、詳細インデックス作成部６２は、詳細インデックス１１０を作成すると判定された時に記録媒体４４に記録される画像データ（コンテンツに含まれる画像データ）を、バス２１を介して画像処理部２３から取得し、これに基づいて、図４のインデックス画像データ１１１を作成する。また、詳細インデックス作成部６２は、この詳細インデックス１１０を作成すると判定された時にコンテンツが記録される記録媒体４４の空間上の位置を示すデータを、バス２１を介して記録再生制御部２８から取得し、これに基づいて、図４の詳細インデックス作成時における記録媒体上の位置データ１１２を作成する。さらに、詳細インデックス作成部６２は、現在時刻を、バス２１を介してタイマ２５から取得し、これに基づいて、図４の日時データ１１３を作成する。これにより、図４のインデックス画像データ１１１、詳細インデックス作成時における記録媒体上の位置データ１１２、および日時データ１１３を含む詳細インデックス１１０が作成される。
【００７５】
ステップＳ２１において、CPU２２は、インデックス作成部２６の詳細インデックス作成部６２により作成された詳細インデックス１１０を、バス２１を介してメモリカード２９に記憶させる。
【００７６】
ステップＳ１９においてまだ所定の時間が経過していないと判定された場合、またはステップＳ２１の処理の後、処理はステップＳ２２に進み、操作入力部２７は、ユーザインデックスの作成が指令されたか否かを判定する。具体的には、操作入力部２７は、ユーザインデックス作成ボタン５５がユーザにより選択されたか否かを判定する。ステップＳ２２において、ユーザインデックスの作成が指令されたと判定された場合、CPU２２は、ユーザインデックス１２０の作成を、バス２１を介してインデックス作成部２６に指令し、処理をステップＳ２３に進める。
【００７７】
これに対して、インデックス作成部２６のユーザインデックス作成部６３は、ステップＳ２３において、ユーザインデックス１２０を作成する。具体的には、ユーザインデックス作成部６３は、ユーザインデックス１２０を作成すると判定された時（すなわち、この例の場合では、ユーザインデックス作成ボタン５５が選択された時）に記録媒体４４に記録される画像データ（コンテンツに含まれる画像データ）を、バス２１を介して画像処理部２３から取得し、これに基づいて、図５のインデックス画像データ１２１を作成する。また、ユーザインデックス作成部６３は、このユーザインデックス１２０を作成すると判定された時にコンテンツが記録される記録媒体４４の空間上の位置を示すデータを、バス２１を介して記録再生制御部２８から取得し、これに基づいて、図５のユーザインデックス作成時における記録媒体上の位置データ１２２を作成する。さらに、ユーザインデックス作成部６３は、現在時刻を、バス２１を介してタイマ２５から取得し、これに基づいて、図５の日時データ１２３を作成する。これにより、図５のインデックス画像データ１２１、ユーザインデックス作成時における記録媒体上の位置データ１２２、および日時データ１２３を含むユーザインデックス１２０が作成される。
【００７８】
ステップＳ２４において、CPU２２は、インデックス作成部２６のユーザインデックス作成部６３により作成されたユーザインデックス１２０を、バス２１を介してメモリカード２９に記憶させる。
【００７９】
ステップＳ２２においてユーザインデックス１２０の作成が指令されていないと判定された場合、またはステップＳ２４の処理の後、処理はステップＳ２５に進み、操作入力部２７は、録画停止が指令されたか否かを判定する。具体的には、操作入力部２７は、録画停止ボタン５２がユーザにより選択されたか否かを判定する。
【００８０】
ステップＳ２５において、録画停止が指令されていないと判定された場合、処理はステップＳ１９に戻り、それ以降の処理が繰り返される。すなわち詳細インデックス１１０が作成されてから所定の時間が経過すると、再び詳細インデックス１１０が作成され、ユーザインデックス作成ボタン５５が選択された場合には、ユーザインデックス１２０が作成され、このような処理が、録画停止が指令されるまで繰り返される。
【００８１】
ステップＳ２５において、録画停止が指令されたと判定された場合、すなわち、録画停止ボタン５２が選択された場合、処理はステップＳ２６に進み、シーンインデックス作成部６１は、記録媒体４４上の記録停止位置を、記録再生制御部２８から取得し、これを、シーン停止時における記録媒体上の位置データ１０３とし、CPU２２は、このシーン停止時における記録媒体上の位置データ１０３を、バス２１を介してメモリカード２９のシーンインデックス１００に追記（更新）する。すなわち、図６のステップＳ１８の時点で、メモリカード２９に記憶されるシーンインデックス１００には、まだ、シーン停止時における記録媒体上の位置データ１０３が含まれていないので、ステップＳ２５の処理で、シーン停止時における記録媒体上の位置データ１０３を追記することで、図３に示されるシーンインデックス１００を完成させることができる。
【００８２】
ステップＳ２７において、CPU２２は、録画停止処理を実行する。例えば、CPU２２は、各部に録画停止を指令し、撮像部４１による動画像データの取り込み、画像処理部２３による画像処理、音声入力部４２による音声データの取り込み、音声処理部２４による音声処理、記録再生制御部２８による記録制御などの処理を停止させる。その後、処理は終了される。
【００８３】
図６と図７の処理により、１つのコンテンツ（動画像データと音声データとを少なくとも含むコンテンツ（シーン））の記録媒体４４への記録につき、１つのシーンインデックス１００が作成されるとともに、所定の時間毎に詳細インデックス１１０が作成され、ユーザによりユーザインデックス１２０の作成が指令された場合に、ユーザインデックス１２０が作成され、それぞれメモリカード２９に記憶される。
【００８４】
また、ユーザは、録画（記録）時に、ユーザインデックス作成ボタン５５を操作することで、後ほど編集で使用したい場面のユーザインデックス１２０を録画時に作成させることができる。
【００８５】
図６と図７の処理による各種インデックスの作成と、コンテンツ（シーン）の録画の流れを、図８と図９を参照してより具体的に説明する。図８において、横軸は時刻ｔとされている。また、ここでは、簡単に説明するために、記録媒体４４に記録されるデータを動画像データ（音声データを含まないコンテンツのデータ）として考える。さらに、図９において、詳細インデックス１１０−１乃至１１０−５の構成は、図４の詳細インデックス１１０と同様である。ただし、内部のデータ（実際のインデックス画像データ１１１や日時データ１１３など）は異なる。
【００８６】
図８の時刻ｔ０において、録画が開始されると（ステップＳ１６）、シーンインデックス１００（図３，図９）が作成され（ステップＳ１７）、メモリカード２９に記憶される（ステップＳ１８）。そして、録画開始後、所定の時間Ｔ１が経過すると、時刻ｔ１（ｔ１＝ｔ０＋Ｔ１）において、詳細インデックス１１０−１（図９）が作成され（１回目のステップＳ２０）、メモリカード２９に記憶される（１回目のステップＳ２１）。そして、時刻ｔ１から所定の時間Ｔ１がさらに経過すると、時刻ｔ２（ｔ２＝ｔ１＋Ｔ１）において、詳細インデックス１１０−２（図９）が作成され（２回目のステップＳ２０）、メモリカード２９に記憶される（２回目のステップＳ２２）。また、時刻ｔ２から所定の時間Ｔ１がさらに経過すると、時刻ｔ３（ｔ３＝ｔ２＋Ｔ１）において、詳細インデックス１１０−３（図９）が作成され（３回目のステップＳ２０）、メモリカード２９に記憶される（３回目のステップＳ２２）。ここで、時刻ｔ４において、ユーザによりユーザインデックス作成ボタン５５が選択（操作）されると、ユーザインデックス１２０が作成され（ステップＳ２３）、メモリカード２９に記憶される（ステップＳ２４）。また、時刻ｔ３から所定の時間Ｔ１がさらに経過すると、時刻ｔ５（ｔ５＝ｔ３＋Ｔ１）において、詳細インデックス１１０−４（図９）が作成され（４回目のステップＳ２０）、メモリカード２９に記憶される（４回目のステップＳ２２）。さらに、時刻ｔ５から所定の時間Ｔ１がさらに経過すると、時刻ｔ６（ｔ６＝ｔ５＋Ｔ１）において、詳細インデックス１１０−５（図９）が作成され（５回目のステップＳ２０）、メモリカード２９に記憶される（５回目のステップＳ２２）。その後、時刻ｔ７（ｔ７＜（ｔ６＋Ｔ１））において、録画が停止されると（ステップＳ２５でYESと判定された場合）、シーンインデックス１００のシーン停止時における記録媒体上の位置データ１０３が更新（追記）され（ステップＳ２６）、録画停止処理が実行される（ステップＳ２７）。
【００８７】
これにより、図９に示されるように、メモリカード２９に、シーンインデックス１００と、５つの詳細インデックス１１０−１乃至１１０−５、並びに、ユーザインデックス１２０が記憶される。
【００８８】
なお、図９のシーンインデックス１００に含まれるインデックス画像データ１０１は、時刻ｔ０における画像データ（録画された画像データ）そのもの、またはその画像データを圧縮するなどして作成された画像データであり、日時データ１０４は、例えば、時刻ｔ０に日付を付加したものである。また、所定の時間Ｔ毎に、詳細インデックス１１０−１乃至１１０−５が作成される。
【００８９】
このように、図６と図７の処理によれば、３種類のインデックスを作成して、メモリカード２９に記憶させることができる。すなわち、記録再生装置１１は、コンテンツ（シーン）を記録媒体４４に記録する場合に、３種類の意味付けの異なるインデックスを作成して、メモリカード２９に記憶させることができる。
【００９０】
また、図１の記録再生装置１１が、図６と図７の処理を繰り返し実行した場合、例えば、図１０に示されるようなインデックスが、メモリカード２９に記憶されることになる。
【００９１】
図１０の例の場合、シーン＃Ａの枠の中には、図６と図７の処理により記録媒体４４に記録された「シーン＃Ａ」という名称のコンテンツ（シーン）に対応する各種のインデックスが格納されている。「シーン＃Ａ」のコンテンツの記録媒体４４への記録処理では、シーンインデックス１００と、５つの詳細インデックス１１０−１乃至１１０−５と、ユーザインデックス１２０とがメモリカード２９に記憶されたことが示されている。なお、「シーン＃Ａ」の名称は、例えば、シーンインデックス１００のシーンタイトルデータ１０５（図３）に基づくタイトルに対応している（一致している）。
【００９２】
また、シーン＃Ｂの枠の中には、図６と図７の処理により記録媒体４４に記録された「シーン＃Ｂ」という名称のコンテンツ（シーン）に対応する各種のインデックスが格納されている。「シーン＃Ｂ」のコンテンツの記録媒体４４への記録処理では、シーンインデックス１００と、３つの詳細インデックス１１０−１乃至１１０−３とがメモリカード２９に記憶されたことが示されている。なお、「シーン＃Ｂ」の名称は、例えば、シーンインデックス１００のシーンタイトルデータ１０５（図３）に基づくタイトルに対応している（一致している）。このシーン＃Ｂでは、ユーザインデックスの作成が指令されていないため、ユーザインデックス１２０は作成されていない。
【００９３】
さらに、シーン＃Ｃの枠の中には、図６と図７の処理により記録媒体４４に記録された「シーン＃Ｃ」という名称のコンテンツ（シーン）に対応する各種のインデックスが格納されている。「シーン＃Ｃ」のコンテンツの記録媒体４４への記録処理では、シーンインデックス１００と、４つの詳細インデックス１１０−１乃至１１０−４と、２つのユーザインデックス１２０−１および１２０−２とがメモリカード２９に記憶されたことが示されている（ユーザインデックス１２０−１と１２０−２の構成は、図５のユーザインデックス１２０と同様である）。なお、「シーン＃Ｃ」の名称は、例えば、シーンインデックス１００のシーンタイトルデータ１０５（図３）に基づくタイトルに対応している（一致している）。
【００９４】
このように、記録媒体４４に記録されるコンテンツ（シーン＃Ａ，シーン＃Ｂ，シーンＣ）に対応して、メモリカード２９に各種のインデックスが記憶される。
【００９５】
次に、図１１と図１２のフローチャートを参照して、図１の記録再生装置１１における再生処理を説明する。この処理は、図６と図７の処理の後に実行される処理である。すなわち、記録媒体４４にコンテンツ（シーン）が少なくとも１つ記録されているとともに、記録媒体４４に記録されているコンテンツに対応する各種のインデックスが、メモリカード２９に記憶されている状態で開始される。この例では、メモリカード２９に、図１０に示されるインデックスが記憶されているものとして説明する。
【００９６】
ステップＳ５１において、操作入力部２７は、ユーザによりインデックスの再生が指令されたか否かを判定し、インデックスの再生が指令されるまで処理を待機する。例えば、再生開始ボタン５３が１回選択された場合にインデックスの再生が指令されたとし、再生開始ボタン５３が２回（連続して）選択された場合にコンテンツ（シーン）の再生が指令されたとする構成としてもよいし、インデックスの再生とコンテンツの再生を指令するボタンを別々に設ける構成としてもよいし、再生開始ボタン５３を選択している時間の長さによって、インデックスの再生とコンテンツの再生を判別するような構成としてもよい。
【００９７】
ステップＳ５１において、インデックスの再生が指令されたと判定された場合、ステップＳ５２において、CPU２２は、バス２１を介してメモリカード２９からシーンインデックス１００を読み出す。メモリカード２９に、図１０に示されるようなデータが記憶されている場合、CPU２２は、メモリカード２９から「シーン＃Ａ」のシーンインデックス１００と、「シーン＃Ｂ」のシーンインデックス１００と、「シーン＃Ｃ」のシーンインデックス１００とを読み出す。
【００９８】
ステップＳ５３において、操作入力部２７は、ユーザインデックスの再生が指令されたか否かを判定する。例えば、表示制御部３０が、CPU２２からの制御に基づいて、ユーザインデックス１２０の再生の有無を問い合わせるメッセージを表示部４３に表示させることで、ユーザがその問い合せに対する選択を操作入力部２７に入力してくるので、操作入力部２７は、このユーザからの選択を受け付け、ユーザインデックスの再生が指令されたか否かを判定する。なお、ステップＳ５３の処理を省略し、ユーザにユーザインデックス１２０の再生を問い合わせることなく、ユーザインデックスを再生するようにしてもよい。この場合、ステップＳ５３の処理をスキップし、処理をステップＳ５４に進める。
【００９９】
ステップＳ５３において、ユーザインデックス１２０の読み出しが指令されたと判定された場合、ステップＳ５４において、CPU２２は、バス２１を介してメモリカード２９からユーザインデックス１２０を読み出す。メモリカード２９に図１０に示されるようなデータが記憶されている場合、CPU２２は、メモリカード２９から「シーン＃Ａ」のユーザインデックス１２０と、「シーン＃Ｃ」のユーザインデックス１２０−１，１２０−２とを読み出す。
【０１００】
ステップＳ５４の処理の後、またはステップＳ５３においてユーザインデックス１２０の読み出しが指令されていないと判定された場合、処理はステップＳ５５に進み、表示制御部３０は、読み出されたインデックスのインデックス画像を表示部４３に表示させる。
【０１０１】
このステップＳ５５の処理がステップＳ５４の後の場合、すなわち、シーンインデックス１００とともにユーザインデックス１２０が読み出された場合、表示制御部３０は、CPU２２からの制御に基づいて、読み出されたインデックスのインデックス画像データに対応する画像を表示部４３に表示させるよう制御する。例えば、表示制御部３０は、「シーン＃Ａ」のシーンインデックス１００、「シーン＃Ｂ」のシーンインデックス１００、「シーン＃Ｃ」のシーンインデックス１００、「シーン＃Ａ」のユーザインデックス１２０、並びに、「シーン＃Ｃ」のユーザインデックス１２０−１およびユーザインデックス１２０−２にそれぞれ含まれているインデックス画像データに対応する画像を、表示部４３に表示させるよう制御する。これにより、表示部４３には、例えば図１３に示されるような「おもなインデックス一覧」の画像が表示される。
【０１０２】
図１３の例の場合、表示部４３には、「おもなインデックス一覧」として、画像１６１乃至１６６が表示されている。画像１６１は、図１０の「シーン＃Ａ」のシーンインデックス１００のインデックス画像データ１０１（図３）に基づく画像（図中、シーンインデックス＃Ａと記述する）を示す。画像１６２は、図１０の「シーン＃Ａ」のユーザインデックス１２０のインデックス画像データ１２１（図５）に基づく画像（図中、ユーザインデックス＃Ａ−Ｕ１と記述する）を示す。画像１６３は、図１０の「シーン＃Ｂ」のシーンインデックス１００のインデックス画像データ１０１（図３）に基づく画像（図中、シーンインデックス＃Ｂと記述する）を示す。画像１６４は、図１０の「シーン＃Ｃ」のシーンインデックス１００のインデックス画像データ１０１（図３）に基づく画像（図中、シーンインデックス＃Ｃと記述する）を示す。画像１６５は、図１０の「シーン＃Ｃ」のユーザインデックス１２０−１のインデックス画像データ１２１（図５）に基づく画像（図中、ユーザインデックス＃Ｃ−Ｕ１と記述する）を示す。画像１６５は、同じく図１０の「シーン＃Ｃ」のユーザインデックス１２０−２のインデックス画像データ１２１（図５）に基づく画像（図中、ユーザインデックス＃Ｃ−Ｕ１と記述する）を示す。図１３の例の場合、画像１６１がフォーカス（選択）されている。
【０１０３】
ユーザは、操作入力部２７に操作を入力して（図示せぬ十字ボタンなどの操作により）、画像１６１乃至１６６を選択することができる。このとき、ユーザは、所定のシーンインデックス画像をフォーカス（選択）し、そのシーンインデックスに対する詳細インデックス画像の表示を指令したり、所定のシーンインデックス画像または所定のユーザインデックス画像をフォーカス（選択）し、選択したインデックス（シーンインデックスまたはユーザインデックス）に対応する記録媒体４４上の位置からの再生を指令したりすることができる。
【０１０４】
図１１に戻って、このステップＳ５５の処理が、ステップＳ５３においてユーザインデックスの読み出しが指令されていないと判定された後の処理である場合、すなわち、シーンインデックス１００のみが読み出された（ユーザインデックス１２０は読み出されなかった）場合、表示制御部３０は、CPU２２からの制御に基づいて、読み出されたインデックスのインデックス画像データに対応する画像を表示部４３に表示させるよう制御する。例えば、表示制御部３０は、「シーン＃Ａ」のシーンインデックス１００、「シーン＃Ｂ」のシーンインデックス１００、および「シーン＃Ｃ」のシーンインデックス１００にそれぞれ含まれているインデックス画像データに対応する画像を、表示部４３に表示させるよう制御する。
【０１０５】
ステップＳ５６において、操作入力部２７は、詳細インデックスの読み出しが指令されたか否かを判定する。図１３の例の場合、操作入力部２７は、いずれかのシーンインデックス画像の選択と、そのシーンインデックス画像に対する詳細インデックス画像の表示の指令が（例えば、再生開始ボタン５３を介して）入力されたか否か（詳細インデックスの読み出しが指令されたか否か）を判定する。
【０１０６】
ステップＳ５６において詳細インデックス１１０の読み出しが指令されたと判定された場合、ステップＳ５７において、CPU２２は、メモリカード２９から詳細インデックス１１０を読み出す。例えば、図１３の画像１６１のインデックス画像（図１０のシーン＃Ａのシーンインデックス１００のインデックス画像データ１０１に基づく画像）が選択され、この画像１６１の詳細インデックスの読み出しが指令された場合、CPU２２は、図１０のメモリカード２９から、シーン＃Ａに対応する詳細インデックスを、所定の個数だけ読み出す。例えば、CPU２２は、メモリカード２９からシーン＃Ａに対応する５個の詳細インデックス１１０−１乃至１１０−５を読み出す。このときシーンインデックス１００に対応して読み出される複数の詳細インデックス１１０のそれぞれの日時データ１１３の日時は、シーンインデックス１００の日時データ１０４が示す日時より時間的に後となる。このことは、シーンインデックス１００の日時データ１０４が、コンテンツ（動画像データと音声データを少なくとも含むコンテンツ）の記録を開始した時点における日時を示すデータであるためである。
【０１０７】
ステップＳ５８において、表示制御部３０は、ステップＳ５７の処理で読み出された複数の詳細インデックス１１０に格納されているそれぞれのインデックス画像データ１１１に基づく画像を表示部４３に表示させる。このとき、表示制御部３０は、CPU２２からの制御に基づき、選択されたシーンインデックス１００に対応するユーザインデックス１２０のインデックス画像もあわせて表示部４３に表示させるよう制御する。ステップＳ５８の処理が、ステップＳ５４の後の場合、すなわち、既にメモリカード２９からユーザインデックス１２０（この例の場合、シーン＃Ａのユーザインデックス１２０）が読み出されている場合、表示制御部３０は、シーン＃Ａのユーザインデックス１２０のインデックス画像データ１２１と、ステップＳ５７の処理で読み出された詳細インデックス１１０−１乃至１１０−５の各インデックス画像データとに基づく画像を表示部４３に表示させる。また、ステップＳ５８の処理が、ステップＳ５３でＮＯと判定された後の場合、すなわち、まだメモリカード２９からユーザインデックス１２０（この例の場合、シーン＃Ａのユーザインデックス１２０）が読み出されていない場合、CPU２２はメモリカード２９からこれを読み出し（ステップＳ５４の処理と同様）、表示制御部３０は、いま読み出されたシーン＃Ａのユーザインデックス１２０のインデックス画像データ１２１と、ステップＳ５７の処理で読み出された詳細インデックス１１０−１乃至１１０−５の各インデックス画像データとに基づく画像を表示部４３に表示させる。
【０１０８】
この処理により、表示部４３には、例えば図１４に示されるような「シーンインデックス＃Ａの詳細インデックス一覧」が表示される。
【０１０９】
図１４の例の場合、表示部４３には、「シーンインデックス＃Ａの詳細インデックス一覧」として、画像１９１乃至１９６が表示されている。画像１９１は、図１０の「シーン＃Ａ」の詳細インデックス１１０−１のインデックス画像データ１１１（図４）に基づく画像（図中、詳細インデックス＃ＡＰ−１と記述する）を示す。画像１９２は、図１０の「シーン＃Ａ」の詳細インデックス１１０−２のインデックス画像データ１１１（図４）に基づく画像（図中、詳細インデックス＃ＡＰ−２と記述する）を示す。画像１９３は、図１０の「シーン＃Ａ」の詳細インデックス１１０−３のインデックス画像データ１１１（図４）に基づく画像（図中、詳細インデックス＃ＡＰ−３と記述する）を示す。画像１９４は、図１０の「シーン＃Ａ」のユーザインデックス１２０のインデックス画像データ１２１（図５）に基づく画像（図中、詳細インデックス＃Ａ−Ｕ１と記述する）を示す。すなわち、画像１９４は、図１３の画像１６２と同じである。画像１９５は、図１０の「シーン＃Ａ」の詳細インデックス１１０−４のインデックス画像データ１１１（図４）に基づく画像（図中、詳細インデックス＃ＡＰ−４と記述する）を示す。画像１９６は、図１０の「シーン＃Ａ」の詳細インデックス１１０−５のインデックス画像データ１１１（図４）に基づく画像（図中、詳細インデックス＃ＡＰ−５と記述する）を示す。図１３の例の場合、画像１９１がフォーカス（選択）されている。
【０１１０】
ユーザは、操作入力部２７に操作を入力して（図示せぬ十字ボタンなどの操作により）、画像１９１乃至１９６を選択（フォーカス）することができる。このとき、ユーザは、画像１９１乃至１９６のいずれかを選択（フォーカス）し、その画像のインデックス（詳細インデックス１１０またはユーザインデックス１２０）に対応する記録媒体４４上の位置からの再生を指令することができる。
【０１１１】
このように、最初に、図１３に示されるようなおもなインデックス一覧を表示させることで、ユーザに、大まかに記録されたコンテンツを把握させることができる。そして、次に、図１４に示されるような、選択されたシーンインデックスの詳細インデックス一覧を表示させることで、ユーザに、コンテンツのより詳しい内容を把握させることができる。このように種類の異なるインデックスを適宜表示させることで、ユーザは、より迅速に所望の位置からの再生を指令することができる。
【０１１２】
なお、ステップＳ５８の処理で、詳細インデックス１１０に対応するインデックス画像のみを表示させるようにし、ユーザインデックス１２０に対応するインデックス画像は表示させないようにしてもよい。すなわち、図１４からユーザインデックス１２０に対応する画像１９４を除いてもよい。また、これらの表示を適宜ユーザが設定可能なものとしてもよい。さらに、１つのシーン（コンテンツ）に対応する詳細インデックス１１０の数が、表示部４３に表示させる画像として規定された個数（例えば、６個）より多い場合には、表示部４３に、次の画面に遷移可能なアイコン（矢印のアイコン）などを表示させておき、そのアイコンが選択された場合には、CPU２２がメモリカード２９から次の画面に表示させるための残りの詳細インデックス１１０を読み出し、表示部４３に表示させるようにすればよい。
【０１１３】
図１２に戻って、ステップＳ５８の処理の後、またはステップＳ５６で詳細インデックスの読み出しが指令されていないと判定された場合、処理はステップＳ５９に進み、操作入力部２７は、インデックス（シーンインデックス１００、詳細インデックス１１０、またはユーザインデックス１２０）の選択とともに再生開始の指令を受け付ける。すなわち、操作入力部２７は、再生を開始する記録媒体４４上の位置を指定するためのインデックスの選択を受け付ける。例えば、操作入力部２７は、図１３の画像１６１がフォーカスされている状態で再生開始ボタン５３に対する再生開始の指令に対応する操作入力を受け付けることで、インデックスの選択と再生開始の指令を受け付けたり、図１４の画像１９１がフォーカスされている状態で再生開始ボタン５３に対する再生開始の指令に対応する操作入力を受け付けることで、インデックスの選択と再生開始の指令を受け付けたりする。
【０１１４】
ステップＳ６０において、CPU２２は、ステップＳ５９の処理で選択されたインデックスに対応する記録媒体４４上の位置から再生を開始する。具体的には、ステップＳ５９の処理で選択されたインデックス（シーンインデックス１００、詳細インデックス１１０、またはユーザインデックス１２０）に格納されている記録媒体上の位置データ（シーンインデックス１００に格納されているシーン開始時における記録媒体上の位置データ１０２、詳細インデックス１１０に格納されている詳細インデックス作成時における記録媒体上の位置データ１１２、または、ユーザインデックス１２０に格納されているユーザインデックス作成時における記録媒体上の位置データ１２２）で特定される記録媒体４４上の位置から、再生を開始する。例えば、ステップＳ５９の処理で、図１３の画像１６１が選択された場合、すなわちシーン＃Ａのシーンインデックス１００が選択された場合、CPU２２は、図１０のメモリカード２９から「シーン＃Ａ」のシーンインデックス１００を読み出し、シーンインデックス１００に格納されているシーン開始時における記録媒体上の位置データ１０２（図３参照）で特定される記録媒体４４上の位置からデータを読み出すよう記録再生制御部２８を制御する。記録再生制御部２８は、CPU２２からの制御に基づいて、シーン開始時における記録媒体上の位置データ１０２で特定される記録媒体４４上の位置からデータを読み出し（再生し）、読み出したデータのうちの動画像データ（複数の画像からなる動画像のデータ）を、バス２１を介して表示制御部３０に供給するとともに、読み出したデータのうちの音声データを、バス２１を介してスピーカ３１に供給する。表示制御部３０は、供給された動画像データに基づく動画像（複数の画像からなる動画像）を表示部４３に表示させるよう制御し、スピーカ３１は、供給された音声データに基づく音声を出力する。これにより記録媒体４４に記録されたデータ（コンテンツ）を、ユーザにより指定されたインデックスで特定される位置から再生することができる。
【０１１５】
このとき、例えば、ステップＳ５９の処理で、図１３の画像１６１（すなわちシーン＃Ａのシーンインデックス１００）が選択された場合、シーン＃Ａのシーンインデックス１００の記録開始時における記録媒体４４上の位置からデータの再生が行われる。また、例えば、ステップＳ５９の処理で、図１３の画像１６２（すなわちシーン＃Ａのユーザインデックス１２０）が選択された場合、シーン＃Ａのユーザインデックス１２０のユーザインデックス作成時における記録媒体上の位置データ１２２で特定される記録媒体４４上の位置からデータの再生が行われる。このとき、ユーザインデックス作成時における記録媒体上の位置データ１２２で特定される記録媒体４４上の位置から再生されて最初に表示される画像（ユーザインデックス作成時における記録媒体上の位置データ１２２で特定される記録媒体４４上の位置に記録されている画像データに基づく画像）は、ユーザインデックス１２０のインデックス画像データ１２１に基づく画像に対応している。このことは、ユーザインデックス１２０のインデックス画像データ１２１が、ユーザインデックス作成時における記録媒体上の位置データ１２２で特定される記録媒体４４上の位置に記録されている画像データに基づいて作成されたものであるためである（上述した図７のステップＳ２３の説明参照）。さらに、例えば、ステップＳ５９の処理で、図１４の画像１９１（すなわちシーン＃Ａの詳細インデックス１１０−１）が選択された場合、シーン＃Ａの詳細インデックス１１０−１の詳細インデックス作成時における記録媒体上の位置データ１１２で特定される記録媒体４４上の位置からデータの再生が行われる。このとき、詳細インデックス作成時における記録媒体上の位置データ１１２で特定される記録媒体４４上の位置から再生されて最初に表示される画像（詳細インデックス作成時における記録媒体上の位置データ１２２で特定される記録媒体４４上の位置に記録されている画像データに基づく画像）は、詳細インデックス１１０−１のインデックス画像データ１１１に基づく画像に対応している。このことは、詳細インデックス１１０のインデックス画像データ１１１が、詳細インデックス作成時における記録媒体上の位置データ１２２で特定される記録媒体４４上の位置に記録されている画像データに基づいて作成されたものであるためである（上述した図７のステップＳ２０の説明参照）。
【０１１６】
ステップＳ６１において、操作入力部２７は、ユーザインデックスの作成が指令されたか否かを判定する。具体的には、操作入力部２７は、再生停止ボタン５４またはユーザインデックス作成ボタン５５を選択する操作が入力された場合に、ユーザインデックス１２０の作成が指令されたと判定する。
【０１１７】
ステップＳ６１において、ユーザインデックスの作成が指令されたと判定された場合、CPU２２は、ユーザインデックス１２０の作成を、バス２１を介してインデックス作成部２６に指令し、処理をステップＳ６２に進める。
【０１１８】
これに対して、処理はステップＳ６２に進み、インデックス作成部２６のユーザインデックス作成部６３は、ステップＳ６２において、ユーザインデックス１２０を作成する。具体的には、上述した図７のステップＳ２３の処理と同様に、ユーザインデックス作成部６３は、ユーザインデックス１２０を作成すると判定された時（すなわち、この例の場合では、ユーザインデックス作成ボタン５５または再生停止ボタン５４が選択された時）に再生されている画像データ（コンテンツに含まれる画像データ）を、バス２１を介して記録再生制御部２８から取得し、これに基づいて、図５に示されるインデックス画像データ１２１を作成する。また、ユーザインデックス作成部６３は、このユーザインデックス１２０を作成すると判定された時に再生されているコンテンツが記録されている記録媒体４４の空間上の位置を示すデータを、バス２１を介して記録再生制御部２８から取得し、これに基づいて、図５のユーザインデックス作成時における記録媒体上の位置データ１２２を作成する。さらに、ユーザインデックス作成部６３は、現在時刻（ユーザインデックス作成ボタン５５または再生停止ボタン５４が選択された時点における時刻）を、バス２１を介してタイマ２５から取得し、これに基づいて、図５の日時データ１２３を作成する。これにより、図５のインデックス画像データ１２１、ユーザインデックス作成時における記録媒体上の位置データ１２２、および日時データ１２３を含むユーザインデックス１２０が作成される。すなわち、この処理で作成されるユーザインデックス１２０の日時データ１２３は、記録媒体４４にコンテンツが記録されている時刻ではなく、記録媒体４４に記録されたコンテンツが再生されている時の時刻である。
【０１１９】
ステップＳ６３において、CPU２２は、インデックス作成部２６のユーザインデックス作成部６３により作成されたユーザインデックス１２０を、バス２１を介してメモリカード２９に記憶させる。
【０１２０】
ステップＳ６３の処理の後、またはステップＳ６１でユーザインデックス１２０の作成が指令されていないと判定された場合、処理はステップＳ６４に進み、操作入力部２７は、ユーザにより再生停止が指令されたか否かを判定する。具体的には、操作入力部２７は、再生停止ボタン５４を選択する操作が入力された場合に、再生停止が指令されたと判定する。ステップＳ６４において、再生停止が指令されていないと判定された場合、処理はステップＳ６１に戻り、それ以降の処理が繰り返される。すなわち、ステップＳ６０の処理で再生を開始した後、再生停止が指令されるまでの間にユーザインデックス１２０の作成が指令された場合には、ユーザインデックス１２０が作成され、再生停止が指令された場合には、ユーザインデックス１２０が作成され、その後、処理はステップＳ６４でYESと判定される。
【０１２１】
ステップＳ６４において、再生停止が指令されたと判定された場合、処理はステップＳ６５に進み、CPU２２は、再生停止処理を実行する。例えば、CPU２２は、記録再生制御部２８による記録媒体４４からのデータ（コンテンツ）の読み出し（再生）を停止させるよう制御する。ステップＳ６５の処理の後、処理は終了される。
【０１２２】
図１１と図１２の処理により、最初に、メモリカード２９に記憶させていたシーンインデックス１００のインデックス画像データに基づく画像を表示させることで、ユーザに、記録媒体４４に記録されたコンテンツ（シーン）の概要を大まかに把握させることができ、次に、シーンインデックス１００の選択とともに詳細インデックス１１０の読み出しが指令された場合には、そのシーンインデックス１００に対応する（シーンインデックス１００より時間的後に記憶された）複数の詳細インデックス１１０の各インデックス画像データに基づく画像を表示させることで、ユーザに、その選択されたコンテンツ（シーン）の詳細な内容を把握させることができる。このように、ユーザの要求に応じて、各種のインデックスを表示させることができる。
【０１２３】
また、再生中に、再生停止が指令された場合に、ユーザインデックス１２０を作成してメモリカード２９に記憶させておくようにしたので、続きから再生する場合には、ユーザが、このとき（ステップＳ６２の処理で）作成されたユーザインデックス１２０を選択するだけで、続きからの再生を容易に行うことができる。
【０１２４】
なお、ステップＳ５８の処理で、表示制御部３０が、ステップＳ５６の処理で詳細インデックスの読み出しの指令とともに選択されたシーンインデックス１００に対応するユーザインデックス１２０のインデックス画像を、詳細インデックス１１０とあわせて表示部４３に表示させるようにしたが、ユーザインデックス１２０のインデックス画像は表示させずに、詳細インデックス１１０のみを表示部４３に表示させるようにしてもよい。
【０１２５】
以上により、シーンインデックス１００、詳細インデックス１１０、およびユーザインデックス１２０の３種類のインデックスを作成し、メモリカード２９に記憶させるようにしたので、動画像データの再生や編集をより容易に行うことができる。また、ユーザは、記録媒体４４に記録されたシーン（コンテンツ）の大まかな概略をシーンインデックス１００により知ることができ、選択したシーンの詳細を、詳細インデックス１１０により知ることができ、ユーザ自身が気になる場面や、一旦再生を中断（再生停止）した場合には、ユーザインデックス１２０により、気になる場面を迅速に検索することや、続きからの再生を行うことができる。すなわち、ユーザは、所望する再生位置の検索を迅速に行うことができる。
【０１２６】
記録媒体４４へのコンテンツ（シーン）の記録を行う場合、詳細インデックス１１０のみを作成するようにした場合、コンテンツ全体に対する詳細なインデックス１１０を作成するため、記録媒体４４上の厳密な位置の指定や、コンテンツ全体の詳細な内容を、ユーザに把握させることができる反面、最初に表示させるインデックスの数が多くなるので、ユーザが所望するコンテンツの検索に手間がかかり、大まかなコンテンツの把握も困難であるという問題があった。そこで、コンテンツの記録開始時に、コンテンツの内容に沿ったシーンインデックス１００をさらに作成することで、コンテンツ全体を大まかに把握させることができる。また、ユーザにより指令された時点においてユーザインデックス１２０をさらに作成することで、ユーザが所望するインデックスを作成することができる。
【０１２７】
このように、３種類のインデックス（シーンインデックス１００、詳細インデックス１１０、およびユーザインデックス１２０）を適宜作成してメモリカード２９に記憶させるようにしたので、コンテンツの編集、頭出しを、迅速かつ容易に行うことができるとともに、ユーザに、迅速に内容を把握させることができる。
【０１２８】
なお、記録媒体４４に記録されたシーン（コンテンツ）を編集する場合、図１１と図１２の処理と同様に、最初にユーザが、シーンインデックス１００の一覧を見ることで（図１３を見ることで）、選択したい部分の大まかな位置を把握し、次に、図１４に示されるようなシーンインデックス１００の近傍の詳細インデックス１１０（シーンインデックス１００が記憶された時刻より後に記憶された詳細インデックス１１０）の一覧を見ることで、詳細なイン点とアウト点を選択することができ、よって、イン点とアウト点の選択を容易に行うことができる。すなわち、シーンインデックス１００、詳細インデックス１１０、およびユーザインデックス１２０を適宜使い分けることで、容易に編集を行うことができる。
【０１２９】
また、ユーザは、録画（記録）時に、ユーザインデックス作成ボタン５５を操作しておくことで、編集で使用したい場面のユーザインデックス１２０を録画時に作成させることができる。
【０１３０】
さらに、ユーザからの指令に基づいて作成されたユーザインデックス１２０から少しずれた位置（時刻）を指定したい場合であっても、詳細インデックス１１０が作成されているので、詳細インデックス１１０を選択することで指定することができる。
【０１３１】
以上の処理をまとめると以下のようになる。
【０１３２】
記録再生装置１１は、シーンとシーンの区切りごとにシーンインデックス１００を作成するとともに、シーンの記録中の所定の時間ごとに、細かい時間区切りを示す詳細インデックス１１０を複数作成する。また、記録再生装置１１は、ユーザにより指令された場合に、ユーザインデックス１２０を作成する。
【０１３３】
インデックスを利用する場面では、これらの３種類のインデックスのうち、最も適した種類のインデックスが選択され、表示される。例えば、記録媒体４４に記録されている全てのシーン（コンテンツ）の把握や、シーン単位でのインデックスの選択といった場面では、シーンインデックス１００が選択されて表示され、シーン内の詳細な内容や細かい時簡単位での記録媒体４４上の位置の指定といった場面では、詳細インデックス１１０が選択されて表示される。これにより、その場面において理想的なインデックスを利用することができる。
【０１３４】
これにより、シーンインデックス１００のみが作成される場合、詳細インデックス１１０のみが作成される場合、またはユーザインデックス１２０のみが作成される場合と比較して、これらのインデックスを適宜用いることで、幅広くインデックスを利用することができる。
【０１３５】
例えば、詳細インデックス１１０のみを作成する場合、インデックスの数が膨大になり、一覧性や検索性が低下していたが、これに加えてシーン（コンテンツ）単位でシーンインデックス１００を作成することで、一覧性や検索性を改善することができる。
【０１３６】
また、シーンインデックス１００のみを作成する場合、シーンとシーンの切り替わりの場面に、黒画面、無音、幕といった、内容を類推しにくいインデックスが作成される可能性があるが、所定の時間毎に詳細インデックス１１０をあわせて作成することで、ユーザは、シーンインデックス１００の近傍の詳細インデックス１１０を参照することができ、より確実にシーンの詳細な内容を把握することができる。
【０１３７】
さらに、ユーザインデックス１２０のみを作成する場合、インデックスの作成を毎回手動で指令する手間がかかり、結果としてインデックスが作成されにくくなる可能性があったが、これに加えて、シーンインデックス１００と詳細インデックス１１０とを作成するようにしたことで、インデックス作成の手間を軽減することができる。
【０１３８】
また、シーンインデックス１００と詳細インデックス１１０とに、ユーザインデックス１２０の作成をさらに加えることで、（後日）再生時に新しいインデックス（ユーザインデックス１２０）を追加したり、インデックスによる選択点（イン点、アウト点）を微調整したりするといった、シーンインデックス１００と詳細インデックス１１０のみでは実現できなかった利用を可能とすることができる。
【０１３９】
なお、以上の例では、複数の画像からなる動画像のデータを示す動画像データと音声データを少なくとも含むコンテンツ（シーン）を記録媒体４４に記録する記録再生装置１１としたが、少なくとも動画像データを記録媒体４４に記録する記録再生装置１１でも、本発明を適用することができる。
【０１４０】
また、シーンインデックス１００、詳細インデックス１１０、およびユーザインデックス１２０の構成は、それぞれ図３，図４，図５に示される構成に限らず、他のデータを含めるようにしてもよい。例えば、図３，図４，図５のデータに、音声処理部２４により音声処理された音声データの一部をさらに含めるようにしてもよい。
【０１４１】
さらに、以上の例では、図１の撮像部４１に撮像された動画像のデータと、音声入力部４２により取り込まれた音声のデータを少なくとも含むコンテンツについて説明したが、本発明は、放送され、受信された動画像データと音声データからなるコンテンツに適用することもできる。この場合、撮像部４１は、単に、外部（端子）からの動画像データの入力を受け付け、音声入力部４２は、外部（端子）からの音声データの入力を受け付ければよい。
【０１４２】
上述した一連の処理は、ハードウエアにより実行させることもできるし、ソフトウエアにより実行させることもできる。この場合、上述した処理は、図１４に示されるようなパーソナルコンピュータ５００により実行される。
【０１４３】
図１４において、CPU５０１は、ROM５０２に記憶されているプログラム、または、記憶部５０８からRAM５０３にロードされたプログラムに従って各種の処理を実行する。RAM５０３にはまた、CPU５０１が各種の処理を実行する上において必要なデータなどが適宜記憶される。
【０１４４】
CPU５０１、ROM５０２、およびRAM５０３は、内部バス５０４を介して相互に接続されている。この内部バス５０４にはまた、入出力インターフェース５０５も接続されている。
【０１４５】
入出力インターフェース５０５には、キーボード、マウスなどよりなる入力部５０６、CRT，LCDなどよりなるディスプレイ、スピーカなどよりなる出力部５０７、ハードディスクなどより構成される記憶部５０８、並びに、モデム、ターミナルアダプタなどより構成される通信部５０９が接続されている。通信部５０９は、電話回線やCATVを含む各種のネットワークを介しての通信処理を行う。
【０１４６】
入出力インターフェース５０５にはまた、必要に応じてドライブ５１０が接続され、磁気ディスク、光ディスク、光磁気ディスク、あるいは半導体メモリなどによりなるリムーバブルメディア５２１が適宜装着され、それから読み出されたコンピュータプログラムが、必要に応じて記憶部５０８にインストールされる。
【０１４７】
一連の処理をソフトウエアにより実行させる場合には、そのソフトウエアを構成するプログラムが、ネットワークや記録媒体からインストールされる。
【０１４８】
この記録媒体は、図１４に示されるように、コンピュータとは別に、ユーザにプログラムを提供するために配布される、プログラムが記録されているリムーバブルメディア５２１よりなるパッケージメディアにより構成されるだけでなく、装置本体に予め組み込まれた状態でユーザに提供される、プログラムが記録されているROM５０２や記憶部５０８が含まれるハードディスクなどで構成される。
【０１４９】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【０１５０】
【図１】本発明を適用した記録再生装置の構成例を示すブロック図である。
【図２】インデックスの種類と、それに対応する作成条件を示す図である。
【図３】シーンインデックスに含まれるデータの例を説明する図である。
【図４】詳細インデックスに含まれるデータの例を説明する図である。
【図５】ユーザインデックスに含まれるデータの例を説明する図である。
【図６】録画処理を説明するフローチャートである。
【図７】録画処理を説明するフローチャートである。
【図８】各インデックスが作成されるタイミングを説明する図である。
【図９】メモリカードに記憶されるインデックスの例を説明する図である。
【図１０】メモリカードに記憶されるインデックスの例を説明する図である。
【図１１】再生処理を説明するフローチャートである。
【図１２】再生処理を説明するフローチャートである。
【図１３】図１の表示部に表示される画面例を説明する図である。
【図１４】図１の表示部に表示される画面例を説明する図である。
【図１５】パーソナルコンピュータの構成例を示すブロック図である。
【符号の説明】
【０１５１】
１  記録再生装置，  ２２  CPU，  ２５  タイマ，  ２６  インデックス作成部，  ２７  操作入力部，  ２８  記録再生制御部，  ２９  メモリカード，  ３０  表示制御部，  ５１  録画開始ボタン，  ５２  録画停止ボタン，  ５３  再生開始ボタン，  ５４  再生停止ボタン，  ５５  ユーザインデックス作成ボタン，  ６１  シーンインデックス作成部，  ６２  詳細インデックス作成部，  ６３  ユーザインデックス作成部，  １００  シーンインデックス，  １０１  インデックス画像データ，  １０２  シーン開始時における記録媒体上の位置データ，  １０３  シーン停止時における記録媒体上の位置データ，  １０４  日時データ，  １１０  詳細インデックス，  １１１  インデックス画像データ，  １１２  詳細インデックス作成時における記録媒体上の位置データ，  １１３  日時データ，  １２０  ユーザインデックス，  １２１  インデックス画像データ，  １２２  ユーザインデックス作成時における記録媒体上の位置データ，  １２３  日時データ
【図１】
2007006166.tif 000003
【図２】
2007006166.tif 000004
【図３】
2007006166.tif 000005
【図４】
2007006166.tif 000006
【図５】
2007006166.tif 000007
【図６】
2007006166.tif 000008
【図７】
2007006166.tif 000009
【図８】
2007006166.tif 000010
【図９】
2007006166.tif 000011
【図１０】
2007006166.tif 000012
【図１１】
2007006166.tif 000013
【図１２】
2007006166.tif 000014
【図１３】
2007006166.tif 000015
【図１４】
2007006166.tif 000016
【図１５】
2007006166.tif 000017